(57)【要約】【課題】複数の表示画面を有する表示装置において、それぞれの表示画面に対する表示制御を簡易な回路構成で実現すること。【解決手段】表示装置は、複数の表示部と、複数の表示部に対して共通に設けられた表示コントローラと、複数の表示部と表示コントローラとの間に設けられたマスク回路と、を備える。複数の表示部の各々は、表示制御信号に基づいて、表示データに応じた画像を表示する。表示コントローラは、それら表示制御信号及び表示データを、複数の表示部に対して共通に出力する。上記表示制御信号は、垂直同期信号、水平同期信号及びクロック信号を含み、それら垂直同期信号、水平同期信号及びクロック信号のうち少なくとも１つは、マスク対象信号である。マスク回路は、複数の表示部のうち少なくとも１つを指定する表示指定信号を受け取り、その表示指定信号で指定される表示部へマスク対象信号を供給し、それ以外の表示部へのマスク対象信号の供給をマスクする。【選択図】図２
2010072335.tif 000002
【特許請求の範囲】
【請求項１】
各々が表示制御信号に基づいて表示データに応じた画像を表示する複数の表示部と、
前記複数の表示部に対して共通に設けられ、前記表示制御信号及び前記表示データを前記複数の表示部に対して共通に出力する表示コントローラと、
前記複数の表示部と前記表示コントローラとの間に設けられたマスク回路と
を備え、
前記表示制御信号は、垂直同期信号、水平同期信号及びクロック信号を含み、
前記垂直同期信号、前記水平同期信号及び前記クロック信号のうち少なくとも１つは、マスク対象信号であり、
前記マスク回路は、前記複数の表示部のうち少なくとも１つを指定する表示指定信号を受け取り、前記表示指定信号で指定される表示部へ前記マスク対象信号を供給し、それ以外の表示部への前記マスク対象信号の供給をマスクする
表示装置。
【請求項２】
請求項１に記載の表示装置であって、
前記複数の表示部は、第１表示部と第２表示部とを含み、
前記表示データは、前記第１表示部に表示される画像に応じた第１表示データ、あるいは、前記第２表示部に表示される画像に応じた第２表示データであり、
前記表示コントローラは、前記第１表示データと前記第２表示データを時分割で出力し、
前記表示データが前記第１表示データである場合、前記表示指定信号は前記第１表示部を指定し、
前記表示データが前記第２表示データである場合、前記表示指定信号は前記第２表示部を指定する
表示装置。
【請求項３】
請求項２に記載の表示装置であって、
前記表示コントローラは、前記第１表示データ及び前記第２表示データのそれぞれを単位時間あたりに第１頻度及び第２頻度で出力し、
前記第１頻度と前記第２頻度は異なる
表示装置。
【請求項４】
請求項３に記載の表示装置であって、
前記第１表示データは、動画像データであり、
前記第２表示データは、静止画像データであり、
前記第１頻度は前記第２頻度よりも高い
表示装置。
【請求項５】
表示装置と、
前記表示装置に接続されたプロセッサと
を備え、
前記表示装置は、
各々が表示制御信号に基づいて表示データに応じた画像を表示する複数の表示部と、
前記複数の表示部に対して共通に設けられ、前記プロセッサからの指示に従って前記表示制御信号及び前記表示データを前記複数の表示部に対して共通に出力する表示コントローラと、
前記複数の表示部と前記表示コントローラとの間に設けられたマスク回路と
を備え、
前記表示制御信号は、垂直同期信号、水平同期信号及びクロック信号を含み、
前記垂直同期信号、前記水平同期信号及び前記クロック信号のうち少なくとも１つは、マスク対象信号であり、
前記プロセッサは、前記複数の表示部のうち少なくとも１つを指定する表示指定信号を前記マスク回路に供給し、
前記マスク回路は、前記表示指定信号で指定される表示部へ前記マスク対象信号を供給し、それ以外の表示部への前記マスク対象信号の供給をマスクする
携帯端末。
【請求項６】
請求項５に記載の携帯端末であって、
前記複数の表示部は、第１表示部と第２表示部とを含み、
前記表示データは、前記第１表示部に表示される画像に応じた第１表示データ、あるいは、前記第２表示部に表示される画像に応じた第２表示データであり、
前記表示コントローラは、前記プロセッサからの指示に従って、前記第１表示データと前記第２表示データを時分割で出力し、
前記表示コントローラに対して前記第１表示データの出力を指示する場合、前記プロセッサは、前記第１表示部を指定する前記表示指定信号を前記マスク回路に供給し、
前記表示コントローラに対して前記第２表示データの出力を指示する場合、前記プロセッサは、前記第２表示部を指定する前記表示指定信号を前記マスク回路に供給する
携帯端末。
【請求項７】
請求項６に記載の携帯端末であって、
前記表示コントローラは、前記第１表示データ及び前記第２表示データのそれぞれを単位時間あたりに第１頻度及び第２頻度で出力し、
前記第１頻度と前記第２頻度は異なる
携帯端末。
【請求項８】
請求項７に記載の携帯端末であって、
前記第１表示データは、動画像データであり、
前記第２表示データは、静止画像データであり、
前記第１頻度は前記第２頻度よりも高い
携帯端末。
【請求項９】
複数の表示部を備える表示装置の駆動方法であって、
前記複数の表示部の各々は、表示制御信号に基づいて表示データに応じた画像を表示し、
前記表示制御信号は、垂直同期信号、水平同期信号及びクロック信号を含み、
前記駆動方法は、
前記複数の表示部のうち少なくとも１つを指定する表示指定信号を、前記表示装置に入力するステップと、
前記表示制御信号及び前記表示データを、前記複数の表示部に対して共通に出力するステップと、
前記表示指定信号で指定される表示部へマスク対象信号を供給し、それ以外の表示部への前記マスク対象信号の供給をマスクするステップと
を含み、
前記マスク対象信号は、前記垂直同期信号、前記水平同期信号及び前記クロック信号のうち少なくとも１つである
表示装置の駆動方法。
【請求項１０】
請求項９に記載の表示装置の駆動方法であって、
前記複数の表示部は、第１表示部と第２表示部とを含み、
前記表示データは、前記第１表示部に表示される画像に応じた第１表示データ、あるいは、前記第２表示部に表示される画像に応じた第２表示データであり、
前記表示データを出力するステップは、前記第１表示データと前記第２表示データを時分割で出力するステップを含み、
前記表示データが前記第１表示データである場合、前記表示指定信号は前記第１表示部を指定し、
前記表示データが前記第２表示データである場合、前記表示指定信号は前記第２表示部を指定する
表示装置の駆動方法。
【請求項１１】
請求項１０に記載の表示装置の駆動方法であって、
前記第１表示データと前記第２表示データを時分割で出力するステップは、
前記第１表示データを単位時間あたりに第１頻度で出力するステップと、
前記第２表示データを前記単位時間あたりに前記第１頻度と異なる第２頻度で出力するステップと
を含む
表示装置の駆動方法。
【請求項１２】
請求項１１に記載の表示装置の駆動方法であって、
前記第１表示データは、動画像データであり、
前記第２表示データは、静止画像データであり、
前記第１頻度は前記第２頻度よりも高い
表示装置の駆動方法。
【発明の詳細な説明】
【技術分野】
【０００１】
本発明は、複数の表示画面を有する表示装置とその駆動方法、及びその表示装置を搭載した携帯端末に関する。
【背景技術】
【０００２】
近年、複数の表示画面（表示パネル）を有する携帯端末が普及している。例えば、メイン表示画面とサブ表示画面を有する折りたたみ型の携帯電話やＰＨＳが広く普及している。このような携帯端末はユーザにとって便利であるが、複数の表示画面のそれぞれに対して表示制御回路を設ける必要があり、そのことは信号線の数や回路規模の増大を招く。
【０００３】
特許文献１に記載されている表示装置は、複数の表示手段と表示信号供給手段とを備える。表示信号供給手段は、画像データ及び画像同期信号（水平同期信号、垂直同期信号、画素クロック）を、複数の表示手段に対して並列に供給する。複数の表示手段は、それら画像データ及び画像同期信号が伝送される信号線に並列に接続される。表示信号供給手段は、複数の表示手段に対し、共通の信号線を通して時分割に画像データの供給を行う。これにより、回路規模の増大を招くことなく、複数の表示手段にそれぞれ別個の画像を同時に表示させることが可能となる。
【０００４】
例えば、あるフレームを指定する１つの垂直同期信号が第１の表示部と第２の表示部に対して並列に入力された後、当該フレームにおいて第１の表示部と第２の表示部のそれぞれに表示される第１の画像データと第２の画像データが時分割で転送される（特許文献１の図２参照）。より詳細には、第１の画像データは、上記１つの垂直同期信号の入力後の第１の垂直表示期間に転送される。第１の垂直表示期間は、当該垂直同期信号を基準として第１の垂直バックポーチと第１の垂直フロントポーチによって規定される。同様に、第２の画像データは、同じ垂直同期信号の入力後の第２の垂直表示期間に転送される。第２の垂直表示期間は、当該垂直同期信号を基準として第２の垂直バックポーチと第２の垂直フロントポーチによって規定される。ここで、第１の垂直バックポーチ、第１の垂直フロントポーチ、第２の垂直バックポーチ、及び第２の垂直フロントポーチは、第１の垂直表示期間と第２の垂直表示期間とが時間的に排他となるように設定される。それにより、第１の画像データと第２の画像データが時分割で転送されることとなる。
【０００５】
【特許文献１】特開２００７−１３３０９２号公報
【発明の開示】
【発明が解決しようとする課題】
【０００６】
上記特許文献１によれば、あるフレームを指定する１つの垂直同期信号が第１の表示部と第２の表示部に対して並列に入力される。その後、第１の画像データは第１の垂直表示期間において転送され、第２の画像データは第２の垂直表示期間において転送される。第１の画像データと第２の画像データの時分割転送を実現するためには、上述の通り、第１の垂直表示期間と第２の垂直表示期間とを時間的に排他となるようにあらかじめ設定しておく必要がある。そのために、第１の垂直バックポーチ、第１の垂直フロントポーチ、第２の垂直バックポーチ、及び第２の垂直フロントポーチをそれぞれ別個に設定する必要がある。しかしながら、このような設定は煩雑であり、それぞれの表示部における表示制御を複雑にする。
【０００７】
本発明の目的は、複数の表示画面を有する表示装置において、それぞれの表示画面に対する表示制御を簡易な回路構成で実現することができる技術を提供することにある。
【課題を解決するための手段】
【０００８】
本発明の第１の観点において、表示装置が提供される。その表示装置は、複数の表示部と、複数の表示部に対して共通に設けられた表示コントローラと、複数の表示部と表示コントローラとの間に設けられたマスク回路と、を備える。複数の表示部の各々は、表示制御信号に基づいて、表示データに応じた画像を表示する。表示コントローラは、それら表示制御信号及び表示データを、複数の表示部に対して共通に出力する。上記表示制御信号は、垂直同期信号、水平同期信号及びクロック信号を含み、それら垂直同期信号、水平同期信号及びクロック信号のうち少なくとも１つは、マスク対象信号である。マスク回路は、複数の表示部のうち少なくとも１つを指定する表示指定信号を受け取り、表示指定信号で指定される表示部へマスク対象信号を供給し、それ以外の表示部へのマスク対象信号の供給をマスクする。
【０００９】
本発明の第２の観点において、携帯端末が提供される。その携帯端末は、表示装置と、表示装置に接続されたプロセッサとを備える。表示装置は、複数の表示部と、複数の表示部に対して共通に設けられた表示コントローラと、複数の表示部と表示コントローラとの間に設けられたマスク回路と、を備える。複数の表示部の各々は、表示制御信号に基づいて、表示データに応じた画像を表示する。表示コントローラは、プロセッサからの指示に従って、それら表示制御信号及び表示データを複数の表示部に対して共通に出力する。上記表示制御信号は、垂直同期信号、水平同期信号及びクロック信号を含み、それら垂直同期信号、水平同期信号及びクロック信号のうち少なくとも１つは、マスク対象信号である。プロセッサは、複数の表示部のうち少なくとも１つを指定する表示指定信号をマスク回路に供給する。マスク回路は、その表示指定信号で指定される表示部へマスク対象信号を供給し、それ以外の表示部へのマスク対象信号の供給をマスクする。
【００１０】
本発明の第３の観点において、複数の表示部を備える表示装置の駆動方法が提供される。複数の表示部の各々は、垂直同期信号、水平同期信号及びクロック信号を含む表示制御信号に基づいて、表示データに応じた画像を表示する。上記駆動方法は、（Ａ）複数の表示部のうち少なくとも１つを指定する表示指定信号を、表示装置に入力するステップと、（Ｂ）表示制御信号及び表示データを、複数の表示部に対して共通に出力するステップと、（Ｃ）表示指定信号で指定される表示部へマスク対象信号を供給し、それ以外の表示部へのマスク対象信号の供給をマスクするステップと、を含む。上記マスク対象信号は、垂直同期信号、水平同期信号及びクロック信号のうち少なくとも１つである。
【発明の効果】
【００１１】
本発明によれば、複数の表示画面を有する表示装置において、それぞれの表示画面に対する表示制御を簡易な回路構成で実現することが可能となる。
【発明を実施するための最良の形態】
【００１２】
添付図面を参照して、本発明の実施の形態を説明する。本実施の形態によれば、複数の表示画面を有する表示装置の制御技術が提供される。例えば、その表示装置は、携帯電話、ＰＨＳ、携帯ゲーム機などの携帯端末に搭載される。
【００１３】
図１は、本発明の実施の形態に係る携帯端末１の構成例を概略的に示すブロック図である。携帯端末１は、プロセッサ２、通信部３、放送受信部４、カメラ部５、及び複数の表示画面（表示パネル）を有する表示装置６を備えている。
【００１４】
プロセッサ２は、ＣＰＵやメモリを備えており、各種データ処理を実行する。また、プロセッサ２は、バスを介して各部や各装置と接続されており、各部や各装置の動作を制御する。通信部３は、サーバや他の端末との間で通信を行う。放送受信部４は、例えばワンセグ放送を受信し、動画像データであるＴＶデータをプロセッサ２に送信する。カメラ部５は、カメラを有しており、そのカメラで撮影された画像データや動画像データをプロセッサ２に送信する。
【００１５】
表示装置６は、複数の表示部を備えている。図１で示される例では、表示装置６は、第１表示部１０と第２表示部２０を備えている。第１表示部１０は、第１表示パネル１５と、その第１表示パネル１５を駆動するドライバ群を含んでいる。第２表示部２０は、第２表示パネル２５と、その第２表示パネル２５を駆動するドライバ群を含んでいる。各表示パネルは、例えば液晶表示パネルである。第１表示パネル１５と第２表示パネル２５のそれぞれの画素数は、同じであってもよいし、異なっていてもよい。
【００１６】
表示装置６は複数の表示部を有しているため、それぞれの表示部に異なる画像を表示させることができる。ここで、画像とは、ＴＶ放送等の動画像や、壁紙等の静止画像を含む。例えば、第１表示パネル１５には、上述の放送受信部４やカメラ部５により得られた動画像が表示され、第２表示パネル２５には、壁紙、時計、電波状態等の静止画像が表示される。このように複数の表示部を有する携帯端末１は、ユーザにとって便利である。しかしながら、それぞれの表示部に対して表示コントローラを別々に設けることは、信号線の数や回路規模の増大を招く。従って、それら複数の表示部を単一の表示コントローラで制御することが望ましい。
【００１７】
１．第１の実施の形態
図２は、本発明の第１の実施の形態に係る表示装置６の構成を示すブロック図である。図２に示される表示装置６は、上述の第１表示部１０及び第２表示部２０に加えて、単一の表示コントローラ３０と垂直同期信号マスク回路４０を備えている。
【００１８】
第１表示部１０と第２表示部２０の各々は、表示制御信号に基づいて、表示データＤＡＴに応じた画像を表示する。ここで、表示制御信号とは、表示部における画像表示処理を制御する信号であり、垂直同期信号／ＶＳＹＮＣ、水平同期信号／ＨＳＹＮＣ、及びクロック信号ＣＬＫを含む。これら表示制御信号のうちいずれか１つでも欠けると、表示部において画像表示処理が実施されないことに留意されたい。表示データＤＡＴは、表示される画像に応じたデジタルデータである。第１表示部１０（第１表示パネル１５）に表示される画像に応じた表示データＤＡＴは、以下「第１表示データＤＡＴ１」と参照される。一方、第２表示部２０（第２表示パネル２５）に表示される画像に応じた表示データＤＡＴは、以下「第２表示データＤＡＴ２」と参照される。例えば、第１表示データＤＡＴ１は動画像に応じた動画像データであり、第２表示データＤＡＴ２は静止画像に応じた静止画像データである。
【００１９】
上述の表示制御信号（／ＶＳＹＮＣ、／ＨＳＹＮＣ、及びＣＬＫ）及び表示データＤＡＴ（ＤＡＴ１あるいはＤＡＴ２）を出力する回路が、表示コントローラ３０である。この表示コントローラ３０は、プロセッサ２からの指示に従って、表示制御信号及び表示データＤＡＴの出力を行う。具体的には、プロセッサ２が画像表示を指示する制御信号ＣＯＮを発行すると、表示コントローラ３０は、その制御信号ＣＯＮに応じた表示制御信号及び表示データを出力する。例えば、プロセッサ２が第１表示部１０における第１表示データＤＡＴ１の表示を指示する場合、表示コントローラ３０は、第１表示データＤＡＴ１と、制御信号ＣＯＮで指示される第１表示データＤＡＴ１用の表示制御信号とを出力する。第１表示データＤＡＴ１の場合と第２表示データＤＡＴ２の場合とで、垂直同期周波数等が異なっていてもよい。尚、表示データＤＡＴは１ライン毎に順番に出力される。例えば、表示コントローラ３０は、表示データＤＡＴの格納に用いられるメモリ３５を有する。表示データＤＡＴは、予めプロセッサ２から転送され、メモリ３５に一旦格納される。そして、制御信号ＣＯＮを受け取ると、表示コントローラ３０は、その制御信号ＣＯＮに応じた表示データＤＡＴ（ＤＡＴ１あるいはＤＡＴ２）を１ライン毎に出力する。
【００２０】
図２に示されるように、本実施の形態によれば、表示コントローラ３０は、第１表示部１０及び第２表示部２０に対して共通に設けられている。すなわち、単一の表示コントローラ３０が、共通の信号線を介して第１表示部１０及び第２表示部２０に接続されている。そして、表示コントローラ３０は、制御信号ＣＯＮに応じた表示制御信号及び表示データＤＡＴ（ＤＡＴ１あるいはＤＡＴ２）を、第１表示部１０及び第２表示部２０に対して共通に出力する。複数の表示部のそれぞれにおける画像表示が共通の表示コントローラ３０によって制御されるため、信号線数や回路規模を低減することができる。
【００２１】
第１表示部１０と第２表示部２０にそれぞれ異なる画像を表示させる場合、表示コントローラ３０は、第１表示データＤＡＴ１と第２表示データＤＡＴ２を時分割で出力する。この時、表示コントローラ３０から出力された表示データＤＡＴ（ＤＡＴ１あるいはＤＡＴ２）は、第１表示部１０及び第２表示部２０の両方に供給される。従って、一方の表示部において関係ない画像が表示されることを防止するために、当該表示部の画像表示処理を非活性化することが望ましい。そのために、上述の表示制御信号（／ＶＳＹＮＣ、／ＨＳＹＮＣ、及びＣＬＫ）のうち少なくとも１つは、表示データＤＡＴと関係しない方の表示部に入力されない。すなわち、表示コントローラ３０から出力された表示制御信号のうち少なくとも１つは、表示データＤＡＴと関係しない方の表示部に対してマスクされる。マスクされる表示制御信号は、以下「マスク対象信号」と参照される。
【００２２】
本実施の形態におけるマスク対象信号は、「垂直同期信号／ＶＳＹＮＣ」である。すなわち、表示コントローラ３０から出力された垂直同期信号／ＶＳＹＮＣは、表示データＤＡＴと関係する表示部には供給されるが、それ以外の表示部には供給されない。そのために、図２に示されるように、表示コントローラ３０と表示部１０、２０との間に垂直同期信号マスク回路４０が設けられている。垂直同期信号マスク回路４０は、表示コントローラ３０から出力された垂直同期信号／ＶＳＹＮＣを受け取る。そして、垂直同期信号マスク回路４０は、一方の表示部には垂直同期信号／ＶＳＹＮＣを供給せず、他方の表示部にだけ垂直同期信号／ＶＳＹＮＣを供給する。すなわち、垂直同期信号マスク回路４０は、表示コントローラ３０から一方の表示部への垂直同期信号／ＶＳＹＮＣの供給をマスクする。
【００２３】
どの表示部に垂直同期信号／ＶＳＹＮＣを供給するか示す信号が、表示指定信号ＳＥＬである。つまり、表示指定信号ＳＥＬは、複数の表示部のうち画像が表示されるべき表示部を指定する。この表示指定信号ＳＥＬは、表示データＤＡＴ（ＤＡＴ１あるいはＤＡＴ２）と関連付けられる。表示データＤＡＴが第１表示データＤＡＴ１である場合、表示指定信号ＳＥＬは第１表示部１０を指定する。一方、表示データＤＡＴが第２表示データＤＡＴ２である場合、表示指定信号ＳＥＬは第２表示部２０を指定する。
【００２４】
表示指定信号ＳＥＬは、例えばプロセッサ２により生成され、上述の制御信号ＣＯＮと関連付けられる。すなわち、プロセッサ２が表示コントローラ３０に対して第１表示データＤＡＴ１の出力を指示する場合、プロセッサ２は、第１表示部１０を指定する表示指定信号ＳＥＬを垂直同期信号マスク回路４０に供給する。一方、プロセッサ２が表示コントローラ３０に対して第２表示データＤＡＴ２の出力を指示する場合、プロセッサ２は、第２表示部２０を指定する表示指定信号ＳＥＬを垂直同期信号マスク回路４０に供給する。
【００２５】
垂直同期信号マスク回路４０は、垂直同期信号／ＶＳＹＮＣ及び表示指定信号ＳＥＬを受け取る。そして、垂直同期信号マスク回路４０は、表示指定信号ＳＥＬで指定される表示部へ垂直同期信号／ＶＳＹＮＣを供給し、それ以外の表示部への垂直同期信号／ＶＳＹＮＣの供給をマスクする。
【００２６】
例えば、第１表示部１０を指定する表示指定信号ＳＥＬの論理値は“１（Ｈｉｇｈ）”に設定され、第２表示部２０を指定する表示指定信号ＳＥＬの論理値は“０（Ｌｏｗ）”に設定される。ＳＥＬ＝１の場合、垂直同期信号マスク回路４０は、第１表示部１０へ垂直同期信号／ＶＳＹＮＣを転送し、第２表示部２０への垂直同期信号／ＶＳＹＮＣの供給をマスクする。これにより、第１表示部１０は活性化され、第２表示部２０は非活性化される。一方、ＳＥＬ＝０の場合、垂直同期信号マスク回路４０は、第２表示部２０へ垂直同期信号／ＶＳＹＮＣを転送し、第１表示部１０への垂直同期信号／ＶＳＹＮＣの供給をマスクする。これにより、第２表示部２０は活性化され、第１表示部１０は非活性化される。
【００２７】
図３は、以上に説明された処理を実現するための垂直同期信号マスク回路４０の一例を示している。図３に示される垂直同期信号マスク回路４０は、ＯＲゲート４１、４２、及びインバータ４３を有している。垂直同期信号／ＶＳＹＮＣは、ＯＲゲート４１、４２のそれぞれの第１入力端子に入力される。表示指定信号ＳＥＬは、インバータ４３を通してＯＲゲート４１の第２入力端子に入力され、また、ＯＲゲート４２の第２入力端子に入力される。また、ＯＲゲート４１の出力端子は第１表示部１０に接続されており、第１表示部１０への出力信号は／ＶＳＹＮＣ１で表されている。一方、ＯＲゲート４２の出力端子は第２表示部２０に接続されており、第２表示部２０への出力信号は／ＶＳＹＮＣ２で表されている。ＳＥＬ＝１の場合、出力信号／ＶＳＹＮＣ１は垂直同期信号／ＶＳＹＮＣと等しくなり、出力信号／ＶＳＹＮＣ２は論理値“１（非活性）”に固定される。すなわち、垂直同期信号／ＶＳＹＮＣは、第１表示部１０へは転送されるが、第２表示部２０に対してマスクされる。一方、ＳＥＬ＝０の場合、出力信号／ＶＳＹＮＣ２が垂直同期信号／ＶＳＹＮＣと等しくなり、出力信号／ＶＳＹＮＣ１は論理値“１（非活性）”に固定される。すなわち、垂直同期信号／ＶＳＹＮＣは、第２表示部２０へは転送されるが、第１表示部１０に対してマスクされる。このように、簡易な構成で垂直同期信号マスク回路４０を実現可能である。
【００２８】
図４は、本実施の形態に係る表示装置６の駆動方法の一例を示すタイミングチャートである。表示コントローラ３０は、第１表示データＤＡＴ１と第２表示データＤＡＴ２を時分割で出力する。図４の例では、第１表示データＤＡＴ１と第２表示データＤＡＴ２が、フレーム毎に交互に出力される。
【００２９】
例えば、時刻ｔｆ１〜ｔｆ２のフレームＦＲ１−１において、１フレーム分の第１表示データＤＡＴ１が出力される。その第１表示データＤＡＴ１は、クロック信号ＣＬＫや水平同期信号／ＨＳＹＮＣと共に、第１表示部１０及び第２表示部２０の両方に入力される。このとき、表示指定信号ＳＥＬは“１”に設定され、第１表示部１０を指定している。従って、垂直同期信号／ＶＳＹＮＣは第１表示部１０に伝わり（／ＶＳＹＮＣ１）、第１表示パネル１５には第１表示データＤＡＴ１に応じた画像が表示される。一方、垂直同期信号／ＶＳＹＮＣの第２表示部２０への供給はマスクされる（／ＶＳＹＮＣ２）。第２表示部２０には第１表示データＤＡＴ１や水平同期信号／ＨＳＹＮＣが入力されているが、垂直同期信号／ＶＳＹＮＣが活性化されないため、第１表示データＤＡＴ１に応じた画像は表示されない。すなわち、関係ない画像が第２表示パネル２５に表示されることは無い。
【００３０】
時刻ｔｆ２〜ｔｆ３のフレームＦＲ２−１において、１フレーム分の第２表示データＤＡＴ２が出力される。このとき、表示指定信号ＳＥＬは“０”に設定され、第２表示部２０を指定している。従って、垂直同期信号／ＶＳＹＮＣは第２表示部２０に伝わり（／ＶＳＹＮＣ２）、第２表示パネル２５には第２表示データＤＡＴ２に応じた画像が表示される。一方、垂直同期信号／ＶＳＹＮＣの第１表示部１０への供給はマスクされる（／ＶＳＹＮＣ１）。また、先のフレームＦＲ１−１において、第１表示パネル１５の最終ラインまで駆動が終わっている。従って、第１表示部１０に第２表示データＤＡＴ２や水平同期信号／ＨＳＹＮＣが入力されても、第２表示データＤＡＴ２に応じた画像は表示されない。すなわち、関係ない画像が第１表示パネル１５に表示されることは無い。
【００３１】
続くフレームＦＲ１−２（時刻ｔｆ３〜ｔｆ４）、ＦＲ２−２（時刻ｔｆ４〜ｔｆ５）も同様である。以上に説明されたように、垂直同期信号マスク回路４０と表示指定信号ＳＥＬを用いるだけで、第１表示部１０と第２表示部２０に対する時分割表示制御を実現することが可能である。
【００３２】
尚、図４の例では、第１表示データＤＡＴ１と第２表示データＤＡＴ２が交互に出力されていたが、それに限られない。第１表示データＤＡＴ１と第２表示データＤＡＴ２のそれぞれのタイミングや頻度は任意である。言い換えれば、第１表示データＤＡＴ１と第２表示データＤＡＴ２のそれぞれの表示期間をあらかじめ規定しておく必要はなく、必要に応じて動的に変更することが可能である。表示コントローラ３０から出力される表示データＤＡＴ（ＤＡＴ１あるいはＤＡＴ２）に合わせて、表示指定信号ＳＥＬを切り替えるだけでよい。
【００３３】
図５は、第１表示データＤＡＴ１と第２表示データＤＡＴ２のそれぞれの頻度が異なる例を示している。図５の例において、表示コントローラ３０は、第１表示データＤＡＴ１を単位時間あたり２回（第１頻度）出力し、第２表示データＤＡＴ２を単位時間あたり１回（第２頻度）出力する。具体的には、第１表示データＤＡＴ１は、フレームＦＲ１−１（時刻ｔｆ１〜ｔｆ２）、フレームＦＲ１−２（時刻ｔｆ２〜ｔｆ３）、フレームＦＲ１−３（時刻ｔｆ４〜ｔｆ５）及びフレームＦＲ１−４（時刻ｔｆ５〜ｔｆ６）において出力される。第２表示データＤＡＴ２は、フレームＦＲ２−１（時刻ｔｆ３〜ｔｆ４）及びフレームＦＲ２−２（時刻ｔｆ６〜ｔｆ７）において出力される。図４の場合と同様に、出力される表示データＤＡＴ（ＤＡＴ１あるいはＤＡＴ２）に応じて、表示指定信号ＳＥＬが切り替えられる。その結果、それぞれの表示部において画像が適切に表示される。
【００３４】
例えば、第１表示データＤＡＴ１はＴＶデータ等の動画像データであり、第１表示パネル１５にはＴＶ番組等の動画像が表示される。一方、第２表示データＤＡＴ２は静止画像データであり、第２表示パネル２５には、壁紙や時計等の静止画像が表示される。図５で示された例では、第１表示データＤＡＴ１の頻度が、第２表示データＤＡＴ２の頻度よりも高い。結果として、第１表示パネル１５に表示される動画像の表示品質の劣化が防止され、視聴者の観点から非常に好ましい。
【００３５】
２．第２の実施の形態
図６は、本発明の第２の実施の形態に係る表示装置６の構成を示すブロック図である。第１の実施の形態と重複する説明は適宜省略される。本実施の形態におけるマスク対象信号は、「水平同期信号／ＨＳＹＮＣ」である。そのために、表示コントローラ３０と表示部１０、２０との間には、上述の垂直同期信号マスク回路４０の代わりに水平同期信号マスク回路５０が設けられている。この水平同期信号マスク回路５０は、水平同期信号／ＨＳＹＮＣ及び表示指定信号ＳＥＬを受け取る。そして、水平同期信号マスク回路５０は、表示指定信号ＳＥＬで指定される表示部へ水平同期信号／ＨＳＹＮＣを供給し、それ以外の表示部への水平同期信号／ＨＳＹＮＣの供給をマスクする。
【００３６】
図７は、水平同期信号マスク回路５０の一例を示している。図７に示される水平同期信号マスク回路５０は、ＯＲゲート５１、５２、及びインバータ５３を有している。水平同期信号／ＨＳＹＮＣは、ＯＲゲート５１、５２のそれぞれの第１入力端子に入力される。表示指定信号ＳＥＬは、インバータ５３を通してＯＲゲート５１の第２入力端子に入力され、また、ＯＲゲート５２の第２入力端子に入力される。また、ＯＲゲート５１の出力端子は第１表示部１０に接続されており、第１表示部１０への出力信号は／ＨＳＹＮＣ１で表されている。一方、ＯＲゲート５２の出力端子は第２表示部２０に接続されており、第２表示部２０への出力信号は／ＨＳＹＮＣ２で表されている。ＳＥＬ＝１の場合、出力信号／ＨＳＹＮＣ１は水平同期信号／ＨＳＹＮＣと等しくなり、出力信号／ＨＳＹＮＣ２は論理値“１（非活性）”に固定される。すなわち、水平同期信号／ＨＳＹＮＣは、第１表示部１０へは転送されるが、第２表示部２０に対してマスクされる。一方、ＳＥＬ＝０の場合、出力信号／ＨＳＹＮＣ２が水平同期信号／ＨＳＹＮＣと等しくなり、出力信号／ＨＳＹＮＣ１は論理値“１（非活性）”に固定される。すなわち、水平同期信号／ＨＳＹＮＣは、第２表示部２０へは転送されるが、第１表示部１０に対してマスクされる。このように、簡易な構成で水平同期信号マスク回路５０を実現可能である。
【００３７】
図８は、本実施の形態に係る表示装置６の駆動方法の一例を示すタイミングチャートである。図８で示される例は、マスク対象信号以外、既出の図５で示された例と同じである。図８に示されるように、本実施の形態によれば、垂直同期信号／ＶＳＹＮＣの代わりに水平同期信号／ＨＳＹＮＣがマスクされる。この場合であっても、第１の実施の形態と同じ結果が得られることは明らかである。
【００３８】
図９は、第１表示部１０と第２表示部２０に対する時分割表示制御がフレーム単位ではなくライン単位で実施される例を示している。具体的には、第１表示データＤＡＴ１は、ラインＬＮ１−１（時刻ｔｌ１〜ｔｌ２）、ラインＬＮ１−２（時刻ｔｌ２〜ｔｌ３）、ラインＬＮ１−３（時刻ｔｌ４〜ｔｌ５）及びラインＬＮ１−４（時刻ｔｌ５〜ｔｌ６）において出力される。第２表示データＤＡＴ２は、ラインＬＮ２−１（時刻ｔｌ３〜ｔｌ４）及びラインＬＮ２−２（時刻ｔｌ６〜ｔｌ７）において出力される。既出の例と同様に、出力される表示データＤＡＴ（ＤＡＴ１あるいはＤＡＴ２）に応じて、表示指定信号ＳＥＬが切り替えられる。その結果、それぞれの表示部において画像が適切に表示される。このように、本実施の形態においても第１の実施の形態と同じ効果が得られる。
【００３９】
３．第３の実施の形態
図１０は、本発明の第３の実施の形態に係る表示装置６の構成を示すブロック図である。第１の実施の形態と重複する説明は適宜省略される。本実施の形態におけるマスク対象信号は、「クロック信号ＣＬＫ」である。そのために、表示コントローラ３０と表示部１０、２０との間には、上述の垂直同期信号マスク回路４０の代わりにクロック信号マスク回路６０が設けられている。このクロック信号マスク回路６０は、クロック信号ＣＬＫ及び表示指定信号ＳＥＬを受け取る。そして、クロック信号マスク回路６０は、表示指定信号ＳＥＬで指定される表示部へクロック信号ＣＬＫを供給し、それ以外の表示部へのクロック信号ＣＬＫの供給をマスクする。
【００４０】
図１１は、クロック信号マスク回路６０の一例を示している。図１１に示されるクロック信号マスク回路６０は、ＡＮＤゲート６１、６２、及びインバータ６３を有している。クロック信号ＣＬＫは、ＡＮＤゲート６１、６２のそれぞれの第１入力端子に入力される。表示指定信号ＳＥＬは、ＡＮＤゲート６１の第２入力端子に入力され、また、インバータ６３を介してＡＮＤゲート６２の第２入力端子に入力される。また、ＡＮＤゲート６１の出力端子は第１表示部１０に接続されており、第１表示部１０への出力信号はＣＬＫ１で表されている。一方、ＡＮＤゲート６２の出力端子は第２表示部２０に接続されており、第２表示部２０への出力信号はＣＬＫ２で表されている。ＳＥＬ＝１の場合、出力信号ＣＬＫ１はクロック信号ＣＬＫと等しくなり、出力信号ＣＬＫ２はＬｏｗレベルに固定される。すなわち、クロック信号ＣＬＫは、第１表示部１０へは転送されるが、第２表示部２０に対してマスクされる。一方、ＳＥＬ＝０の場合、出力信号ＣＬＫ２がクロック信号ＣＬＫと等しくなり、出力信号ＣＬＫ１はＬｏｗレベルに固定される。すなわち、クロック信号ＣＬＫは、第２表示部２０へは転送されるが、第１表示部１０に対してマスクされる。このように、簡易な構成でクロック信号マスク回路６０を実現可能である。
【００４１】
図１２は、本実施の形態に係る表示装置６の駆動方法の一例を示すタイミングチャートである。時刻ｔ１〜ｔ２において、１フレーム分あるいは１ライン分の第１表示データＤＡＴ１が出力され、表示指定信号ＳＥＬは“１”に設定される。その結果、クロック信号ＣＬＫは第１表示部１０に伝わり（ＣＬＫ１）、第１表示パネル１５には第１表示データＤＡＴ１に応じた画像が表示される。一方、クロック信号ＣＬＫの第２表示部２０への供給はマスクされる（ＣＬＫ２）。従って、第１表示データＤＡＴ１に応じた画像は第２表示パネル２５には表示されない。時刻ｔ２〜ｔ３の期間も同様である。時刻ｔ３〜ｔ４において、１フレーム分あるいは１ライン分の第２表示データＤＡＴ２が出力され、表示指定信号ＳＥＬは“０”に設定される。その結果、第２表示データＤＡＴ２に応じた画像が、第２表示パネル２５に表示され、第１表示パネル１５には表示されない。このように、本実施の形態においても第１の実施の形態と同じ効果が得られる。
【００４２】
４．その他の実施の形態
上述の第１〜第３の実施の形態を適宜組み合わせることも可能である。つまり、マスク対象信号は、垂直同期信号／ＶＳＹＮＣ、水平同期信号／ＨＳＹＮＣ、クロック信号ＣＬＫのうち少なくとも１つであればよい。
【００４３】
第１表示データＤＡＴ１と第２表示データＤＡＴ２は同じであってもよい。その場合は、第１表示パネル１５と第２表示パネル２５の双方に同じ画像が表示される。
【００４４】
また、表示部の数は２個に限られない。表示装置６は、３以上の表示部を有していてもよい。その場合の処理も同様である。表示指定信号ＳＥＬは、少なくとも１つの表示部を指定していればよい。
【００４５】
５．効果
本発明によれば、単一の表示コントローラ３０が、複数の表示部に対して共通に設けられる。従って、複数の表示部のそれぞれに対して別々の表示コントローラ３０が設けられる場合と比較して、信号線数や回路規模を低減することができる。
【００４６】
上述の特許文献１によれば、あるフレームを指定する１つの垂直同期信号が第１の表示部と第２の表示部に対して並列に入力される。その後、第１の画像データは第１の垂直表示期間において転送され、第２の画像データは第２の垂直表示期間において転送される。第１の画像データと第２の画像データの時分割転送を実現するためには、第１の垂直表示期間と第２の垂直表示期間とを時間的に排他となるようにあらかじめ設定しておく必要がある。そのために、第１の垂直バックポーチ、第１の垂直フロントポーチ、第２の垂直バックポーチ、及び第２の垂直フロントポーチをそれぞれ別個に設定する必要がある。しかしながら、このような設定は煩雑であり、それぞれの表示部における表示制御を複雑にする。
【００４７】
一方、本発明では、表示制御信号（／ＶＳＹＮＣ、／ＨＳＹＮＣ、及びＣＬＫ）の全てが第１表示部１０及び第２表示部２０に対して共通に入力されるわけではない。それら表示制御信号のうち少なくとも１つはマスク対象信号であり、そのマスク対象信号が簡易なマスク回路（４０，５０，６０）によってマスクされる。これにより、一方の表示部において表示されるべき画像が、他方の表示部に表示されてしまうことが防止される。特許文献１とは異なり、第１の垂直バックポーチ、第１の垂直フロントポーチ、第２の垂直バックポーチ、及び第２の垂直フロントポーチに関する煩雑な設定は不要である。それぞれの表示部に対する時分割表示制御を、簡易な回路構成で実現することが可能である。
【００４８】
更に、本発明によれば、特許文献１とは異なり、第１表示データＤＡＴ１と第２表示データＤＡＴ２のそれぞれの表示期間をあらかじめ規定しておく必要はない。第１表示データＤＡＴ１と第２表示データＤＡＴ２のそれぞれのタイミングや頻度は任意であり、必要に応じて動的に変更することが可能である。表示コントローラ３０から出力される表示データＤＡＴ（ＤＡＴ１あるいはＤＡＴ２）に合わせて、表示指定信号ＳＥＬを切り替えるだけでよい。例えば、第１表示データＤＡＴ１が動画像データであり、第２表示データＤＡＴ２が静止画像データである場合、第１表示データＤＡＴ１の頻度を第２表示データＤＡＴ２の頻度よりも高くすることができる。その結果、動画像の表示品質の劣化が防止される。このことは、視聴者の観点から非常に好ましい。
【００４９】
以上、本発明の実施の形態が添付の図面を参照することにより説明された。但し、本発明は、上述の実施の形態に限定されず、要旨を逸脱しない範囲で当業者により適宜変更され得る。
【図面の簡単な説明】
【００５０】
【図１】図１は、本発明の実施の形態に係る携帯端末の構成例を示すブロック図である。
【図２】図２は、本発明の第１の実施の形態に係る表示装置の構成を示すブロック図である。
【図３】図３は、本実施の形態に係る垂直同期信号マスク回路の構成の一例を示す回路図である。
【図４】図４は、第１の実施の形態に係る表示装置の駆動方法の一例を示すタイミングチャートである。
【図５】図５は、第１の実施の形態に係る表示装置の駆動方法の他の例を示すタイミングチャートである。
【図６】図６は、本発明の第２の実施の形態に係る表示装置の構成を示すブロック図である。
【図７】図７は、本実施の形態に係る水平同期信号マスク回路の構成の一例を示す回路図である。
【図８】図８は、第２の実施の形態に係る表示装置の駆動方法の一例を示すタイミングチャートである。
【図９】図９は、第２の実施の形態に係る表示装置の駆動方法の他の例を示すタイミングチャートである。
【図１０】図１０は、本発明の第３の実施の形態に係る表示装置の構成を示すブロック図である。
【図１１】図１１は、本実施の形態に係るクロック信号マスク回路の構成の一例を示す回路図である。
【図１２】図１２は、第３の実施の形態に係る表示装置の駆動方法の一例を示すタイミングチャートである。
【符号の説明】
【００５１】
１    携帯端末
２    プロセッサ
３    通信部
４    放送受信部
５    カメラ部
６    表示装置
１０    第１表示部
１５    第１表示パネル
２０    第２表示部
２５    第２表示パネル
３０    表示コントローラ
４０    垂直同期信号マスク回路
５０    水平同期信号マスク回路
６０    クロック信号マスク回路
ＣＯＮ  制御信号
ＤＡＴ  表示データ
ＣＬＫ  クロック信号
／ＨＳＹＮＣ  水平同期信号
／ＶＳＹＮＣ  垂直同期信号
ＳＥＬ  表示指定信号
【図１】
2010072335.tif 000003
【図２】
2010072335.tif 000004
【図３】
2010072335.tif 000005
【図４】
2010072335.tif 000006
【図５】
2010072335.tif 000007
【図６】
2010072335.tif 000008
【図７】
2010072335.tif 000009
【図８】
2010072335.tif 000010
【図９】
2010072335.tif 000011
【図１０】
2010072335.tif 000012
【図１１】
2010072335.tif 000013
【図１２】
2010072335.tif 000014